(57)【特許請求の範囲】
【請求項１】
磁気テープに記録された映像信号を再生可能なビデオテープレコーダーと、前記ビデオテープレコーダーで再生される映像信号や番組情報が表示可能なテレビジョン受像機とを遠隔操作可能なリモコン装置であって、前記ビデオテープレコーダーにおける磁気テープに記録された番組の情報を前記テレビジョン受像機の画面に表示するよう操作する目次表示操作部と、前記目次表示操作部を操作した時に連動して前記テレビジョン受像機を外部入力モードに切り換えるか否かを設定する連動／非連動選択部とを備え、
前記目次表示操作部は、前記連動／非連動選択部で「連動」が選択されている時、前記ビデオテープレコーダーを目次機能へ移行し前記テレビジョン受像機を外部入力モードに移行する操作と、前記テレビジョン受像機に表示された番組の情報の中から所望の番組を選択し頭出し再生する操作とが可能なことを特徴とするリモコン装置。
【発明の詳細な説明】
【０００１】
【発明の属する技術分野】
本発明は、磁気記録再生装置等の被制御装置から離れた位置で被制御装置の動作を制御することができるリモコン装置に関するものである。
【０００２】
【従来の技術】
近年、リモコン装置はオーディオ関連機器や磁気記録再生装置等のビデオテープレコーダーに使用され、映像又は音声の記録指令に幅広く使用されている。
【０００３】
以下に従来のビデオテープレコーダーに使用するリモコン装置について説明する。
【０００４】
一般的に、ビデオテープレコーダーを使用する時、リモコン装置にてその主要機能を操作すると共に、テレビジョン受像機（以下、ＴＶと記す）の主要機能を操作できる機能を備えたものがある。
【０００５】
図４は従来のリモコン装置の構成を示す模式図である。図４において、２５は本リモコン装置により遠隔制御されるＴＶ、２６は同様に本リモコン装置により遠隔制御されるＶＴＲ、２１はＶＴＲ２６を再生操作する再生操作部、２２はＴＶ２５を連動モードまたは非連動モードに切り換え可能なＴＶ連動／非連動選択部で、ここで連動モードとは再生操作部２１の再生操作時にＴＶ２５をアンテナ入力モードから外部入力モードに切り換えるモードをいい、非連動モードとは再生操作部２１の再生操作に関係なくＴＶ２５側で外部入力モードかアンテナ入力モードかを切り換え可能なモードをいう。２３は再生操作部２１及びＴＶ連動／非連動選択部２２を操作した時にその制御信号を発生するマイコン、２４はマイコン２３で発生した制御信号をＴＶ２５及びＶＴＲ２６に送信出力する出力部、２７はリモコン装置本体である。
【０００６】
以上のように構成された従来のリモコン装置について、以下その動作について説明する。
【０００７】
まず、ＶＴＲ２６を再生操作する時は、ＴＶ連動／非連動選択部２２により「連動」を選択し、再生操作部２１を操作する。再生操作部２１とＴＶ連動／非連動選択部２２で操作した情報はマイコン２３に入力され、マイコン２３で制御信号を発生する。その制御信号は出力部２４からリモコン装置２７外部に出力され、再生操作部２１で操作した再生命令の制御信号はＶＴＲ２６に入力され、ＶＴＲ２６は再生動作を開始する。また、ＴＶ連動／非連動選択部２２で操作した連動命令の制御信号はＴＶ２５に入力され、ＴＶ２５は連動モードになり、ＶＴＲ２６で再生された映像音声がＴＶ２５から出力される。
【０００８】
次に、従来のリモコン装置の他の構成について説明する。図５は従来のオンスクリーンディスプレイ（以下、ＯＳＤと記す）操作機能を有するリモコン装置の構成を示す模式図である。図５において、３１はＴＶ３５にＯＳＤメニュー（時刻設定やモード設定などの各種設定を行う時に使用するメニュー）の表示／非表示を切り換えるメニュー操作部、３２ａはＶＴＲ３４の再生操作をすると共にＴＶ３５にＯＳＤメニューが表示されている時にはカーソルの上方向移動を操作する再生／上カーソル操作部、３２ｂはＶＴＲ３４の停止操作をすると共にＴＶ３５にＯＳＤメニューが表示されている時にはカーソルの下方向移動を操作する停止／下カーソル操作部、３２ｃはＶＴＲ３４の早送り操作をすると共にＴＶ３５にＯＳＤメニューが表示されている時にはカーソルの右方向移動を操作する早送り／右カーソル操作部、３２ｄはＶＴＲ３４の巻戻し操作をすると共にＴＶ３５にＯＳＤメニューが表示されている時にはカーソルの左方向移動を操作する巻戻し／左カーソル操作部、３７は上記各操作部で操作された情報により制御信号を発生するマイコン、３８はこれらの構成を備えたリモコン装置本体である。
【０００９】
以上のように構成された従来のリモコン装置について、以下その動作について説明する。
【００１０】
通常の再生、早送りなどの操作を行う時はメニュー操作部３１を操作せずに、再生／上カーソル操作部３２ａを操作したり、早送り／右カーソル操作部３２ｃを操作する。各種操作部３２ａ〜３２ｄを操作した時の制御信号はマイコン３７へ入力され、マイコン３７から出力部３３を介してＶＴＲ３４に送信される。そして、再生時、使用者はＴＶ３５を外部入力モードに切り換えることにより、ＶＴＲ３４で再生された映像音声信号がＴＶ３５に出力される。
【００１１】
また、ＴＶ３５の画面上にＯＳＤメニューを表示して各種設定を行う場合は、メニュー操作部３１を操作することによりＴＶ画面にメニューが表示され、そして各種操作部３２ａ〜３２ｄがカーソルの移動操作をするためのものになり、例えば再生／上カーソル操作部３２ａを操作するとＴＶ画面上のカーソルが上方向へ移動するようになっている。各種操作部３２ａ〜３２ｄを操作した時の制御信号はマイコン３７へ入力され、マイコン３７から出力部３３を介してＴＶ３５に送信される。
【００１２】
次に目次機能について説明する。図６は従来の目次機能を操作するＶＴＲを操作することができるリモコン装置の構成を示す模式図である。図６において、４１は記録内容を確認できる目次をＴＶ画面上に表示するよう操作する目次表示操作部、４２は目次表示操作部４１を操作することにより表示された目次の中から所望の番組を選択する選択部、４３は選択部４２にて選択した番組を自動頭出し再生を実行するよう操作する実行部、４４は目次表示操作部４１と選択部４２と実行部４３とを有する操作部、４５は操作部４４で操作された情報により制御信号を発生するマイコン、４７はマイコン４５から出力される制御信号を外部機器に送信出力する出力部、４６はこれらの構成を備えたリモコン、４８は出力部４７から出力される制御信号に基づき動作するＶＴＲ、４９はＶＴＲ４８で再生された映像音声信号が出力されるＴＶである。
【００１３】
以上のように構成された従来のリモコン装置について、以下目次機能の動作について説明する。
【００１４】
まず、目次表示操作部４１を操作することにより、現在ＶＴＲ４８内にある磁気テープに記録された番組のリストがＴＶ画面に表示される。ＴＶ画面に表示された番組から選択部４２で再生したい番組を選び、実行部４３を操作すると、マイコン４５が制御信号を発生し、出力部４７から出力される。出力部４７から出力された制御信号に基づきＶＴＲ４８が磁気テープ上のその番組を頭出しして再生する。このようなＴＶ画面上に磁気テープの記録内容（番組）を表示する機能は、頭出し再生に使用する他、記録内容の確認にも役立つものである。
【００１５】
【発明が解決しようとする課題】
しかしながら上記従来のリモコン装置では、図４に示すようにＴＶ連動／非連動操作部２２を設けることにより、再生時にＴＶを外部入力モードに切り換える操作は簡略化することはできたが、ＯＳＤを使用する時にはＴＶを外部入力モードに切り換える操作が必要であるという問題があった。また、図６に示すように目次機能を操作可能なリモコンには、目次表示操作部４１と選択部４２と実行部４３などのように、多くの操作釦が必要であるという問題があった。
【００１６】
本発明は上記従来の問題点を解決するもので、ＯＳＤを操作するときにもＴＶを外部入力に切り換える信号を送ることにより操作性を向上すると共に、目次機能を操作する操作釦を少なくすることができるリモコン装置を提供することを目的とする。
【００１７】
【課題を解決するための手段】
上記課題を解決するために本発明は、磁気テープに記録された映像信号を再生可能なビデオテープレコーダーと、前記ビデオテープレコーダーで再生される映像信号や番組情報が表示可能なテレビジョン受像機とを遠隔操作可能なリモコン装置であって、前記ビデオテープレコーダーにおける磁気テープに記録された番組の情報を前記テレビジョン受像機の画面に表示するよう操作する目次表示操作部と、前記目次表示操作部を操作した時に連動して前記テレビジョン受像機を外部入力モードに切り換えるか否かを設定する連動／非連動選択部とを備え、前記目次表示操作部は、前記連動／非連動選択部で「連動」が選択されている時、前記ビデオテープレコーダーを目次機能へ移行し前記テレビジョン受像機を外部入力モードに移行する操作と、前記テレビジョン受像機に表示された番組の情報の中から所望の番組を選択し頭出し再生する操作とが可能なものである。
【００１８】
そしてこのような構成により、ＯＳＤを操作するときにもＴＶを外部入力に切り換える信号を送ることにより操作性を向上すると共に、目次機能を操作する操作釦を少なくすることができるリモコン装置が得られる。
【００１９】
【発明の実施の形態】
本発明の請求項１に記載の発明は、磁気テープに記録された映像信号を再生可能なビデオテープレコーダーと、前記ビデオテープレコーダーで再生される映像信号や番組情報が表示可能なテレビジョン受像機とを遠隔操作可能なリモコン装置であって、前記ビデオテープレコーダーにおける磁気テープに記録された番組の情報を前記テレビジョン受像機の画面に表示するよう操作する目次表示操作部と、前記目次表示操作部を操作した時に連動して前記テレビジョン受像機を外部入力モードに切り換えるか否かを設定する連動／非連動選択部とを備え、前記目次表示操作部は、前記連動／非連動選択部で「連動」が選択されている時、前記ビデオテープレコーダーを目次機能へ移行し前記テレビジョン受像機を外部入力モードに移行する操作と、前記テレビジョン受像機に表示された番組の情報の中から所望の番組を選択し頭出し再生する操作とが可能なものであり、ＯＳＤを操作するときにもＴＶを外部入力に切り換える信号を送ることにより操作性を向上すると共に、目次機能を操作する操作釦を少なくすることができるリモコン装置が得られる。
【００２０】
以下、本発明の実施の形態について、図１を用いて説明する。
（実施の形態１）
図１は本実施の形態のリモコン装置の構成を示す模式図、図２は本実施の形態のリモコン装置による再生操作時に出力部から出力される信号の波形図である。図１において、１はメニュー（時刻設定やモード設定を行うことができるメニュー）をＴＶ画面上に表示するよう操作するメニュー操作部、２は磁気記録再生装置の再生操作をしかつＯＳＤ操作時には上カーソルとしての動作をする再生／上カーソル操作部、３は磁気記録再生装置の停止操作をしかつＯＳＤ操作時には下カーソルとして動作をする停止／下カーソル操作部、４は磁気記録再生装置の早送り操作をしかつＯＳＤ操作時には右カーソルとして動作をする早送り／右カーソル操作部、５は磁気記録再生装置の巻戻し操作をしかつＯＳＤ操作時には左カーソルとして動作をする巻戻し／左カーソル操作部、６は磁気テープに記録された番組リストを表示（目次機能）するよう操作する目次表示操作部で、ＴＶ１３に番組リストが表示された後は番組へのカーソルに移動を行うことができ、所望の番組にカーソルを合わせ約３秒放置しておくとその番組を頭出し再生するよう動作する。ここで、カーソルを合わせる時間を３秒としたが、これに限定されない。７は再生／上カーソル操作部２による再生操作時、メニュー操作部１及び目次表示操作部６の操作時にＴＶを連動して外部入力モードに切り換えるか否かを設定するＴＶ連動／非連動選択部、８は操作部、９は操作部８で操作された情報により制御信号を発生するマイコン、１１はマイコン９から出力された制御信号が外部機器に送信出力する出力部、１０はこれらの構成を備えたリモコン、１２は出力部１１からの制御信号に基づき動作するＶＴＲ、１３はＶＴＲ１２で再生された映像音声信号を出力すると共に出力部１１からの制御信号に基づき動作するＴＶである。
【００２１】
以上のように構成された本実施の形態のリモコン装置について、以下その動作について説明する。
【００２２】
まず、通常のＶＴＲ操作について説明する。最初にＴＶ連動／非連動選択部７で「連動」を設定する。通常の再生、早送りなどの動作を行う時は、再生／上カーソル操作部２を操作したり、早送り／右カーソル操作部４を操作する。各種操作部２〜５を操作した時、マイコン９においてＶＴＲ制御信号が発生する。ここで、再生／上カーソル操作部２による再生操作時において、ＴＶ連動／非連動選択部７で「連動」に設定されているため、ＴＶ１３を外部入力モードに切り換えるＴＶ制御信号もマイコン９において発生する。そのＶＴＲ制御信号とＴＶ制御信号とがマイコン９から出力部１１を介してＶＴＲ１２に送信され、ＶＴＲ１２で再生された映像音声信号がＴＶ１３に出力される。
【００２３】
次に、目次機能の操作について説明する。最初にＴＶ連動／非連動選択部７で「連動」を設定する。目次表示操作部６を操作すると、マイコン９から出力部１１を介してＶＴＲ１２に目次表示制御信号と共にＴＶ１３を外部入力モードに切り換える制御信号も送信出力される。ＴＶ画面上に磁気テープの記録内容の番組のリストが表示され、次に目次表示操作部６を操作する度に画面上のカーソルが移動するので、所望の番組にカーソルを合わせる。カーソルを所望の番組に合わせて３秒間目次表示操作部６を操作しなければ、マイコン９が所望の番組の頭出し再生の制御信号を発生し、出力部１１を介してＶＴＲ１２に送信され、ＶＴＲ１２において頭出し再生が実行される。ここで、ＴＶ連動／非連動選択部７が「連動」に設定されているため、目次表示操作部６が操作されると、ＶＴＲ１２に目次制御信号が送信出力されると共に、ＴＶ１３に対して外部入力に切り換える制御信号も送信出力される。
【００２４】
次に、ＴＶ画面上にメニューを表示して操作する機能について説明する。最初にＴＶ連動／非連動選択部７で「連動」を設定する。次にメニュー操作部１を操作すると、マイコン９からＴＶ１３を外部入力モードに切り換える制御信号とメニューを表示するよう制御する制御信号とが発生し、出力部１１を介してＴＶ１３に入力される。これにより、ＴＶ１３は外部入力モードになり、画面上にＶＴＲ１２の各種設定を行うことのできるメニューが表示される。これで、操作部２〜５が画面上のカーソル移動に使用できるようになるため、例えばカーソルを上方向に移動する時は再生／上カーソル操作部２を操作する。各種操作部２〜５を操作した時、マイコン９においてＶＴＲ制御信号が発生する。そのＶＴＲ制御信号がマイコン９から出力部１１を介してＴＶ１３に送信され、各種設定がＴＶ１３上で行える。
【００２５】
ここで、ＴＶ１３を外部入力モードに切り換える制御信号の送信方法について、図２の信号波形図を用いて説明する。従来は図２（ａ）に示すように、再生／上カーソル操作部２を１回操作した時には、ＶＴＲの制御信号（以下、再生命令信号と記す）５１を４回（４パルス）出力した後、ＴＶ１３を外部入力モードに切り換える制御信号５２を４回出力するというものであり、つまり１回の操作部の操作で８回の制御信号を送信していた。しかし、このような送信方法では、断続的に操作釦を操作した時、ＶＴＲ制御信号５１とＴＶ制御信号５２が交互に送信され、ＶＴＲにおいて連続的にＶＴＲ制御信号５１が多く入力されるので、前記メニュー表示時に再生／上カーソル操作部２を断続的に押した時のみカーソルが連続的に移動してしまい、他の操作部を断続的に操作した時には連続的に移動しないので、使用者にとって操作が混乱してしまうという問題があった。
【００２６】
本実施の形態では、図２（ｂ）に示すように再生／上カーソル操作部２が断続的に押された時、ＴＶ制御信号５２を再生／上カーソル操作部２が押された最初に少なくとも１回のみ送信し、あとはＶＴＲ制御信号５１を連続して出力するものである。ただし、釦が瞬間的に押された場合であってもＶＴＲ制御信号５１を１回出力してから送信終了するものである。この方法ではＴＶ制御信号５２が最初の１回だけであるため、ＶＴＲ制御信号５１を断続的に受信することができる。こうすることにより、前記メニュー表示時に再生／上カーソル操作部２を断続的に押しても、カーソルは上方向に１回しか移動せず、他の操作部と同様に移動動作するので、使用者における操作の混乱を無くすことができる。
【００２７】
さらに、このような送信方法によれば、磁気テープを繰り返して連続再生が可能なリピート機能にも使用することができる。以下、リピート機能について図１及び図３を用いて説明する。図３は磁気テープに記録されたコントロール信号の波形図である。リピート機能の設定は、図１の再生／上カーソル操作部２を約５秒断続的に押すことにより設定できる。ここで、再生／上カーソル操作部２を断続的に押す時間を約５秒としたがこれに限定されない。ＶＴＲ１２はこのように約５秒の断続的なＶＴＲ制御信号が入力されると、リピートモードになる。そして、図３に示すようなコントロール信号が一部抜けている部分（通常は記録された番組間に設けられ、約３秒間）をコントロールヘッド（図示せず）が検出すると、磁気テープの再生動作を中止し、テープ始端まで巻き戻し、再び再生を開始するよう動作する。
【００２８】
以上のように本実施の形態によれば、ＴＶ連動／非連動選択部７により「連動」を選択した時、再生操作時と共にＯＳＤ使用時にもＴＶが連動して外部入力モードに切り換わるので、操作性を向上できる。また、目次機能の操作は目次表示操作部６のみで、番組の選択・頭出し実行を行えるものである。さらに、再生／上カーソル操作部２の操作時の信号を図２（ｂ）のようにすることにより、メニュー操作時の操作性を向上できると共に、リピート機能の設定も簡単に行うことができるものである。
【００２９】
【発明の効果】
以上のように本発明によれば、ＴＶ連動／非連動選択部により「連動」を選択した時、再生操作時と共にＯＳＤ使用時にもＴＶが連動して外部入力モードに切り換わるので、操作性を向上できる。また、目次機能の操作は目次表示操作部のみで、番組の選択・頭出し実行を行えるものである。さらに、メニュー操作時の操作性を向上できると共に、リピート機能の設定も簡単に行うことができるという、優れた効果を奏するものである。
【図面の簡単な説明】
【図１】本発明の実施の形態におけるリモコン装置の構成を示す模式図
【図２】（ａ）従来のリモコン装置から出力される制御信号を示す波形図
（ｂ）本発明の実施の形態におけるリモコン装置から出力される制御信号を示す波形図
【図３】同実施の形態におけるコントロール信号の波形図
【図４】従来のリモコン装置の構成を示す模式図
【図５】従来のリモコン装置の構成を示す模式図
【図６】従来のリモコン装置の構成を示す模式図
【符号の説明】
１  メニュー操作部
２  再生／上カーソル操作部
３  停止／下カーソル操作部
４  早送り／右カーソル操作部
５  巻戻し／左カーソル操作部
６  目次表示操作部
７  ＴＶ連動／非連動選択部
９  マイコン
１１  出力部
【図１】
0003541598.tif 000002
【図２】
0003541598.tif 000003
【図３】
0003541598.tif 000004
【図４】
0003541598.tif 000005
【図５】
0003541598.tif 000006
【図６】
0003541598.tif 000007